(57)【要約】【課題】本発明は、電子装置の使用者の要望を満足させ、表示装置のカラフルな効果を得ることができる表示部保護パネルを提供することを目的とする。【解決手段】基板及びインク層を含み、前記基板は、透明な材料から製造され、且つ前記インク層が形成された第一表面を含み、前記インク層は、透明であり、少なくとも２つの色から形成され、第一インク層と、一部分が前記第一インク層と重なっている第二インク層と、を含む表示部保護パネルをを提供する。【選択図】図２
2008293021.tif 000002
【特許請求の範囲】
【請求項１】
基板及びインク層を含む表示部保護パネルにおいて、
前記基板は、透明な材料から製造され、且つ前記インク層が形成された第一表面を含み、
前記インク層は、透明であり、少なくとも２つの色から形成され、第一インク層と、一部分が前記第一インク層と重なっている第二インク層と、を含むことを特徴とする表示部保護パネル。
【請求項２】
前記基板がポリカーボネートから製造されていることを特徴とする請求項１に記載の表示部保護パネル。
【請求項３】
前記第一表面は、第一区域と、第二区域と、第一区域と第二区域との間に位置する共用区域と、を含むことを特徴とする請求項１に記載の表示部保護パネル。
【請求項４】
前記第一インク層は、前記第一区域に形成され、前記第一表面の一端から前記共用区域の方向に沿って分布密度が小さくなる複数の第一インク粒子を含み、
前記第二インク層は、前記第二区域に形成され、前記第一表面の他端から前記共用区域の方向に沿って分布密度が小さくなる複数の第二インク粒子を含むことを特徴とする請求項３に記載の表示部保護パネル。
【請求項５】
前記基板は、前記第一表面と対向する第二表面をさらに含み、
前記第二表面には、透明であるめっき層が形成されていることを特徴とする請求項１に記載の表示部保護パネル。
【請求項６】
前記めっき層は、表面に均一に分布されている複数の金属粒子を有する金属薄膜であることを特徴とする請求項５に記載の表示部保護パネル。
【請求項７】
前記めっき層は、錫、アルミニウム、銅、ステンレス鋼を単独または混合して用い、好ましくは、錫をめっきする材料にすることを特徴とする請求項６に記載の表示部保護パネル。
【請求項８】
第一表面と、前記第一表面と対向する第二表面を含み、前記第一表面は、第一区域と、第二区域と、前記第一区域と第二区域との間に形成される共用区域と、を含む基板を提供するステップと、
色が違う第一インクと第二インクを提供するステップと、
前記基板の第一表面の第一区域に前記第一インクを噴射して第一インク層を形成するステップと、
前記基板の第一表面の第二区域に前記第二インクを噴射して第二インク層を形成し、且前記第一インク層と第二インク層が前記共用区域で重なるようにするステップと、を含むことを特徴とする表示部保護パネルの製造方法。
【請求項９】
前記基板の第二表面にめっき層を形成するステップをさらに含むことを特徴とする請求項８に記載の表示部保護パネルの製造方法。
【請求項１０】
物理気相成長法で前記めっき層を形成することを特徴とする請求項９に記載の表示部保護パネルの製造方法。
【請求項１１】
表示装置と表示部保護パネルとカバーとを含み、前記表示部保護パネルが前記カバーの表面に装着され、前記表示装置が前記表示部保護パネルと相対するように前記カバーの内部に装着される電子装置において、
前記表示部保護パネルは、基板及びインク層を含み、
前記基板は、透明な材料から製造され、且つ前記インク層が形成された第一表面を含み、
前記インク層は、透明であり、少なくとも２つの色から形成され、第一インク層と第二インク層を含み、且つ前記第一インク層と第二インク層の一部分が互いに重なっていることを特徴とする電子装置。
【発明の詳細な説明】
【技術分野】
【０００１】
本発明は、表示部保護パネル及びその製造方法に関する。
【背景技術】
【０００２】
携帯電話、ＰＤＡ等のような電子装置には、通常表示装置が設置されている。前記表示装置は、画像を表示する表示装置と、この表示装置を保護し、装飾する表示部保護パネルと、を含む。前記表示部保護パネルが透明な材料から製造されるので、使用者が表示装置の画像を見ることができる。
【０００３】
従来の表示部保護パネルは、透明であり、単色であるパネルである。即ち、前記表示装置が彩色の画像を表示しても、前記表示部保護パネルが単色であるので、使用者がカラフルな効果を体感することができない。使用者の要望を満足させるために、メーカが、基板の底面に透明な金属薄膜をめっきする表示部保護パネルを開発した。これらの表示部保護パネルは、鏡のような効果を得ることができるが、表示部保護パネルが単色であるので、カラフルな効果を体感することができない。
【０００４】
従って、電子装置の使用者の要望を満足させ、カラフルな効果を得ることができる表示部保護パネルが必要とされている。
【発明の開示】
【発明が解決しようとする課題】
【０００５】
以上の問題点に鑑みて、本発明は電子装置の使用者の要望を満足させ、カラフルな効果を得ることができる表示部保護パネル及びその製造方法を提供することを目的とする。
【課題を解決するための手段】
【０００６】
この目的を達成するために、基板及びインク層を含み、前記基板は、透明な材料から製造され、且つ前記インク層が形成された第一表面を含み、前記インク層は、透明であり、少なくとも２つの色から形成され、第一インク層と、一部分が前記第一インク層と重なっている第二インク層と、を含む表示部保護パネルを提供する。
【０００７】
この目的を達成するために、第一表面と、前記第一表面と対向する第二表面を含み、前記第一表面は、第一区域と、第二区域と、前記第一区域と第二区域との間に形成される共用区域と、を含む基板を提供するステップと、色が違う第一インクと第二インクを提供するステップと、前記基板の第一表面の第一区域に前記第一インクを噴射して第一インク層を形成するステップと、前記基板の第一表面の第二区域に前記第二インクを噴射して第二インク層を形成し、且前記第一インク層と第二インク層が前記共用区域で重なるようにするステップと、を含む表示部保護パネルの製造方法を提供する。
【０００８】
この目的を達成するために、表示装置と表示部保護パネルとカバーとを含み、前記表示部保護パネルが前記カバーの表面に装着され、表示装置が前記表示部保護パネルと相対するように前記カバーの内部に装着される電子装置において、前記表示部保護パネルは、基板及びインク層を含み、前記基板は、透明な材料から製造され、且つ前記インク層が形成された第一表面を含み、前記インク層は、透明であり、少なくとも２つの色から形成され、第一インク層と第二インク層を含み、且つ前記第一インク層と第二インク層の一部分が互いに重なっていることを特徴とする電子装置を提供する。
【発明の効果】
【０００９】
上述したように、前記表示部保護パネルは、基板と前記基板に形成されるインク層を含み、前記インク層は、透明であり、２つの色から形成された第一インク層と、一部分が前記第一インク層と重なっている第二インク層と、を含むので、２つの色が滑らかに移り変わり、前記表示部保護パネルの外観を美化させることができる。
【００１０】
前記表示部保護パネルが装着される前記表示装置において、表示装置の光線が前記基板及び前記インク層を透過する。前記光線が２つの色から形成されるインク層を透過し、他の部品に反射、屈折されるので、カラフルな表示効果を得ることができる。即ち、使用者が表示装置からカラフルな画像を見ることができる。且つ、前記表示装置がオフにされた時、外部の光線が前記表示装置に入射しても反射されないので、前記表示部保護パネルと前記表示装置が全て黒色に見える。
【発明を実施するための最良の形態】
【００１１】
以下図面に基づいて、本発明の実施形態に係る表示部保護パネルを詳細に説明する。
【００１２】
図１は、本発明の実施形態に係る電子装置１００を示す表面図である。前記電子装置１００は、表示部保護パネル１０と、表示装置２０と、カバー３０と、を含む。前記表示部保護パネル１０は、前記カバー３０の表面に装着され、前記表示装置２０は、前記表示部保護パネル１０と相対するように前記カバー３０の内部に装着されている。前記表示部保護パネル１０は、透明な材料から製造されるので、電子装置１００の使用者が前記表示部保護パネル１０から前記表示装置２０の画像を見ることができる。
【００１３】
図２は、発明の実施形態に係る表示部保護パネル１０を示す側面図である。前記表示部保護パネル１０は、基板１２と、インク層１４と、めっき層１６と、を含む。前記基板１２を、透明な樹脂またはガラスから製造することができる。本実施形態では、前記基板１２をポリカーボネート（Ｐｏｌｙｃａｒｂｏｎａｔｅ）から製造する。前記基板１２は、第一表面１２２と、前記第一表面１２２と対向する第二表面１２４と、を含む。図３に示したように、前記第一表面１２２は、第一区域１２２２と、第二区域１２２４と、第一区域１２２２と第二区域１２２４との間に位置する共用区域１２２６と、を含む。
【００１４】
前記インク層１４は、少なくとも２つの色のインクから構成され、且つ前記基板１２の第一表面１２２に噴射して形成される透明な薄膜である。本実施形態のインク層１４は、黒色のインクから形成される第一インク層１４２と、緑色のインクから形成される第二インク層１４４と、を含む。前記第一インク層１４２は、前記基板１２の第一表面１２２の第一区域１２２２に噴射され、不均一に分布される複数の第一インク粒子１４２２を含む。前記第一表面１２２の一端から前記共用区域１２２６の方向に沿って、前記第一インク粒子１４２２の分布密度が小さくなる。前記第二インク層１４４は、前記基板１２の第一表面１２２の第二区域１２２４に噴射され、不均一に分布される複数の第二インク粒子１４４２を含む。前記第一表面１２２の他端から前記共用区域１２２６の方向に沿って、前記第二インク粒子１４４２の分布密度が小さくなる。前記第一インク層１４２と第二インク層１４４が前記共用区域１２２６で重なっているので、２つの色が滑らかに移り変わることができる。
【００１５】
前記めっき層１６は、錫、アルミニウム、銅、ステンレス鋼を単独でまたは混合して、前記基板１２の第二表面１２４にめっきする金属薄膜である。本実施形態では、錫をめっきする材料にし、物理気相成長法（Ｐｈｙｓｉｃａｌ  Ｖａｐｏｒ  Ｄｅｐｏｓｉｔｉｏｎ、ＰＶＤ）でめっき工程を実施する。前記めっき層１６が一定の透明性を有する薄膜であるので、光源の光線が透過することができる。図４を参照すると、前記めっき層１６の上には、均一に分布され、分布密度が小さい複数の金属粒子１６２が形成されている。前記金属粒子１６２は、透過する光線を拡散させる作用を奏する。
【００１６】
前記表示装置２０は、液晶表示装置または発光ダイオード表示装置である。前記表示装置２０がオンにされた時、表示装置２０の光線が前記めっき層１６と、基板１２と、インク層１４と、を透過する。前記金属粒子１６２と、前記第一インク粒子１４２２および前記第二インク粒子１４４２の反射と屈折によって、カラフルな表示効果を得ることができる。即ち、電子装置１００の使用者が表示装置２０からカラフルな画像を見ることができる。前記表示装置２０がオフにされた時、外部の光線が前記表示装置２０に入射しても反射されないので、前記表示部保護パネル１０と前記表示装置２０が全て黒色に見える。
【００１７】
図５は、本発明の表示部保護パネル１０を製造することを示す工程図である。以下図面に基づいて、前記表示部保護パネル１０の製造方法を詳細に説明する。
【００１８】
まず、基板１２を提供する。前記基板１２は、第一表面１２２と、前記第一表面１２２と対向する第二表面１２４と、を含む。前記第一表面１２２は、第一区域１２２２と、第二区域１２２４と、第一区域１２２２と第二区域１２２４との間に位置する共用区域１２２６と、を含む。
【００１９】
次に、２つの色のインクを提供する。即ち、黒色インクと緑色インクを提供する。
【００２０】
次に、第一ノズル３２で前記基板１２の第一表面１２２の第一区域１２２２（図３を参照）に黒色インクを噴射して、第一インク層１４２を形成する。インクを噴射する時、第一ノズル３２の移動速度と、第一ノズル３２と第一区域１２２２との間の垂直距離と、第一ノズル３２の噴射量と、を調節して、分布が非均一である第一インク層１４２を形成する。即ち、前記第一表面１２２の一端から前記共用区域１２２６の方向に沿って、前記第一インク粒子１４２２の分布密度が小さくなるようにする。
【００２１】
次に、第二ノズル３４で前記基板１２の第一表面１２２の第二区域１２２４（図３を参照）に緑色インクを噴射して、第二インク層１４４を形成する。インクを噴射する時、第二ノズル３４の移動速度と、第二ノズル３４と第二区域１２２４との間の垂直距離と、第二ノズル３４の噴射量と、を調節して、分布が非均一である第二インク層１４４を形成する。即ち、前記第一表面１２２の他端から前記共用区域１２２６の方向に沿って、前記第二インク粒子１４４２の分布密度が小さくなるようにする。
【００２２】
前記第一インク層１４２と第二インク層１４４が前記共用区域１２２６で重なっているので、２つの色が滑らかに移り変わるができる。即ち、前記共用区域１２２６に多彩なインク層１４が形成されているので、前記表示部保護パネル１０の美観を向上させることができる。
【００２３】
前記表示部保護パネル１０の製造方法において、前記基板１２の第二表面１２４に金属をめっきする工程をさらに実施することができる。本実施形態では、物理気相成長法で前記めっき工程を実施した後、前記めっき層１６の上に均一に分布され、密度が小さい複数の金属粒子１６２が形成する。前記金属粒子１６２は、透過する光線を拡散させる作用を奏する。
【００２４】
前記第一インク層１４２と前記第二インク層１４４を保護するために、第三ノズル（図未示）を用いて前記インク層１４の上に保護インク（図示せず）を噴射することができる。前記保護インクは、透明なインクであり、均一に前記インク層１４の上に噴射されている。
【図面の簡単な説明】
【００２５】
【図１】本発明の実施形態に係る電子装置を示す表面図である。
【図２】本発明の実施形態に係る表示部保護パネルを示す側面図である。
【図３】本発明の実施形態に係る表示部保護パネルの第一表面を示す表面図である。
【図４】本発明の実施形態に係る表示部保護パネルの第二表面を示す表面図である。
【図５】本発明の実施形態に係る表示部保護パネルにインクを噴射することを示す工程図である。
【符号の説明】
【００２６】
１０  表示部保護パネル
１２  基板
１２２  第一表面
１２２２  第一区域
１２２４  第二区域
１２２６  共用区域
１２４  第二表面
１４  インク層
１４２  第一インク層
１４２２  第一インク粒子
１４４  第二インク層
１４４２  第二インク粒子
１６  めっき層
１６２  金属粒子
２０  表示装置
３０  カバー
３２  第一ノズル
３４  第二ノズル
１００  電子装置
【図１】
2008293021.tif 000003
【図２】
2008293021.tif 000004
【図３】
2008293021.tif 000005
【図４】
2008293021.tif 000006
【図５】
2008293021.tif 000007